(57)【要約】【課題】簡易に電気配線を行うことができるＧＸ５３型蛍光ランプ対応ソケットを提供する。【解決手段】本発明に係るＧＸ５３型蛍光ランプ対応ソケット９００は、設置面２３０に、国際電気標準会議（ＩＥＣ）規格のＧＸ５３形式口金電極を有する蛍光ランプ１１０を取付ける際に使用する。ＧＸ５３型蛍光ランプ対応ソケット９００は、蛍光ランプ１１０のＧＸ５３形式口金電極と電気的に接続する接続金具２８０と、接続金具２８０と電気的に導通し、かつ、コードの雌型接続端子７４０と電気的に接続する、雄型プラグ５１０が内蔵されている。【選択図】図２
2009295316.tif 000002
【特許請求の範囲】
【請求項１】
設置面に、国際電気標準会議（ＩＥＣ）規格のＧＸ５３形式口金電極を有する蛍光ランプを取付ける際に使用するＧＸ５３型蛍光ランプ対応ソケットであって、
前記蛍光ランプの前記ＧＸ５３形式口金電極と電気的に接続する接続金具と、
前記接続金具と電気的に導通し、かつ、コードの雌型接続端子と電気的に接続する、雄型プラグが内蔵されている、
ことを特徴とするＧＸ５３型蛍光ランプ対応ソケット。
【請求項２】
コードの雄型接続端子と電気的に接続する、雌型プラグが内蔵されている、
ことを特徴とする請求項１記載のＧＸ５３型蛍光ランプ対応ソケット。
【請求項３】
前記コードは、電源を供給するコンセントに差し込まれる雄型接続端子を一方の端部に有するとともに、他方の端部に前記雌型接続端子を有する、電源コードである、
ことを特徴とする請求項１記載のＧＸ５３型蛍光ランプ対応ソケット。
【請求項４】
前記コードは、複数の前記ＧＸ５３形式口金電極を有する蛍光ランプを電気的に連結する際に使用する連結コードである、
ことを特徴とする請求項１又は２記載のＧＸ５３型蛍光ランプ対応ソケット。
【請求項５】
前記雄型プラグは一対の棒状の雄型接触子を有し、
前記雄型接触子は、前記ＧＸ５３型蛍光ランプ対応ソケットの円盤形状のソケット本体に対し平行に配置されている、
ことを特徴とする請求項１乃至４の何れか１項に記載のＧＸ５３型蛍光ランプ対応ソケット。
【請求項６】
前記雌型プラグは一対の穴状の雌型接触子を有し、
前記雌型接触子は、前記ＧＸ５３型蛍光ランプ対応ソケットの円盤形状のソケット本体に対し平行に配置されている、
ことを特徴とする請求項２記載のＧＸ５３型蛍光ランプ対応ソケット。
【請求項７】
前記雌型プラグと前記雄型プラグとは、前記ＧＸ５３型蛍光ランプ対応ソケットの円盤形状のソケット本体において、点対称の位置に形成されている、
ことを特徴とする請求項２記載のＧＸ５３型蛍光ランプ対応ソケット。
【請求項８】
前記設置面は、天井面、壁面、若しくは、床面のいずれかである、
ことを特徴とする請求項１乃至７の何れか１項に記載のＧＸ５３型蛍光ランプ対応ソケット。
【発明の詳細な説明】
【技術分野】
【０００１】
本発明はＧＸ５３型蛍光ランプ対応ソケットに関し、より詳しくは、設置面に、国際電気標準会議（ＩＥＣ）規格のＧＸ５３形式口金電極を有する蛍光ランプを取付ける際に使用するＧＸ５３型蛍光ランプ対応ソケットに関する。
【背景技術】
【０００２】
物理上設置が困難とされる狭い空間等にて、灯りをとるための薄型の照明器具として、インバータを内蔵させた薄型の蛍光ランプがある。
【０００３】
このような薄型の蛍光ランプとしては、特許文献１に記載のように、ＩＥＣ規格のＧＸ５３形式口金電極を使用するものがある。
【０００４】
ＧＸ５３型蛍光ランプ対応ソケットは厚さが１０ｍｍ程度と薄型であり、発光管は設置面に対して平行に設置されているので全体として薄型となっている。
【０００５】
しかし、この文献に開示されたＧＸ５３型蛍光ランプ対応ソケットでは、電源供給用の電気配線をソケット内部の接続金具に電気的に接続させる配線作業を行う必要がある。
【０００６】
これでは、電気工事士の資格を持たない一般のユーザは配線作業を自分自身で行うことができず、簡易にＧＸ５３型蛍光ランプ対応ソケットに電気配線を行うことができない。
【特許文献１】特開２００７−００５１９３号公報
【発明の開示】
【発明が解決しようとする課題】
【０００７】
本発明は上述の問題に鑑みてなされたものであり、電気工事士の資格を持たない一般のユーザであっても電気配線を行うことができるＧＸ５３型蛍光ランプ対応ソケットを提供することを目的とする。また、簡易に電気配線を行うことができるＧＸ５３型蛍光ランプ対応ソケットを提供することを目的とする。
【課題を解決するための手段】
【０００８】
上記目的を達成するため、この発明のＧＸ５３型蛍光ランプ対応ソケットは、
設置面に、国際電気標準会議（ＩＥＣ）規格のＧＸ５３形式口金電極を有する蛍光ランプを取付ける際に使用するＧＸ５３型蛍光ランプ対応ソケットであって、
前記蛍光ランプの前記ＧＸ５３形式口金電極と電気的に接続する接続金具と、
前記接続金具と電気的に導通し、かつ、コードの雌型接続端子と電気的に接続する、雄型プラグが内蔵されている、ことを特徴とする。
【発明の効果】
【０００９】
本発明に係るＧＸ５３型蛍光ランプ対応ソケットは、簡易に電気配線を行うことができる。
【発明を実施するための最良の形態】
【００１０】
（実施形態１）
本実施形態に係るＧＸ５３型蛍光ランプ対応ソケット９００は、図１に示されるように、設置面２３０に、国際電気標準会議（ＩＥＣ）規格のＧＸ５３形式口金電極を有する蛍光ランプ１１０を取付ける際に使用される。
【００１１】
ＧＸ５３型蛍光ランプ対応ソケット９００は、接続金具２８０と、雄型プラグ５１０と、を有する。
【００１２】
蛍光ランプ１１０には、ピン電極としての電極部１８０が設けられている
【００１３】
電極部１８０は、ＧＸ５３型蛍光ランプ対応ソケット９００の下面に設けられた係合孔部１７０を介して挿入され、接続金具２８０と電気的に接続する。
【００１４】
雄型プラグ５１０はＧＸ５３型蛍光ランプ対応ソケット９００に内蔵されており、接続金具２８０と配線５４０を介して電気的に導通している。
【００１５】
雄型プラグ５１０には、電源コード７１０の雌型接続端子７４０が差し込まれる。
【００１６】
雄型プラグ５１０は、ＧＸ５３型蛍光ランプ対応ソケット９００から飛び出さずに内蔵されているから、ＧＸ５３型蛍光ランプ対応ソケット９００を全体的にコンパクトに形成することができ、そのため狭い空間であっても、ＧＸ５３型蛍光ランプ対応ソケット９００を設置できる。
【００１７】
また、電源コード７１０の雌型接続端子７４０を雄型プラグ５１０に差し込むだけであるから、電源供給用の電気配線を簡易に行うことができる。
【００１８】
（実施形態２）
ＧＸ５３型蛍光ランプ対応ソケット９００は、ソケット本体９１０と、ソケット蓋体９２０とを有する。
【００１９】
ソケット本体９１０は厚さが例えば１０ｍｍ〜２０ｍｍ程度の円盤形状である。ソケット蓋体９２０は、ソケット本体９１０の下面に嵌め込まれる。ソケット蓋体９２０はソケット本体９１０内部に埃等が侵入することを防止する。
【００２０】
蛍光ランプ１１０は、発光部１３０と、ランプ本体１２０と、凸部１４０と、を有する。
【００２１】
発光部１３０は、内部に蛍光管を有し、蛍光管の取付け部分にインバータが内蔵され、その先に口金が設けられる。
【００２２】
凸部１４０には、例えば点灯回路等が収納される。
【００２３】
ソケット蓋体９２０の下面にはネジ孔３１０が形成されている。ネジ１９０はネジ孔３１０から挿入され、設置面２３０に設けられた設置面孔３３０に到達する。これにより、ＧＸ５３型蛍光ランプ対応ソケット９００は、ネジ１９０で設置面２３０に固定される。設置面２３０は、例えば天井面である。
【００２４】
図３に示されるように、ソケット蓋体９２０には、４箇所のネジ孔３１０が形成されている。
【００２５】
なお、図３は、ＧＸ５３型蛍光ランプ対応ソケット９００を下側から見る平面図である。ここで、ＧＸ５３型蛍光ランプ対応ソケット９００の下側とは、蛍光ランプ１１０が取り付けられる側である。そして、ＧＸ５３型蛍光ランプ対応ソケット９００の設置面２３０側を、ＧＸ５３型蛍光ランプ対応ソケット９００の上側という。
【００２６】
ソケット蓋体９２０の下面には、達磨孔形状の一対係合孔部１７０が形成されている。
【００２７】
ピン電極としての電極部１８０は、係合孔部１７０に挿入され、回転係止される。これにより、蛍光ランプ１１０は、ＧＸ５３型蛍光ランプ対応ソケット９００に取り付けられるとともに、電極部１８０は接続金具２８０と電気的に接続する。
【００２８】
図３及び図４に示されるように、雄型プラグ５１０は、開口空洞部５２０と、一対の雄型接触子５３０と、を有する。
【００２９】
開口空洞部５２０は、ソケット本体９１０の内部に形成されており、開口部５２１と、空洞部５２２と、を有する。
【００３０】
空洞部５２２の内部には一対の雄型接触子５３０が設けられる。一対の雄型接触子５３０は、開口部５２１を介して、外部と連通している。一対の雄型接触子５３０は例えば金属で形成されたピンである。雄型接触子５３０は配線５４０と電気的に接続している。
【００３１】
雄型接触子５３０は、ソケット本体９１０に対し平行に配置されている。そのため、ＧＸ５３型蛍光ランプ対応ソケット９００は全体としての構造を薄型にすることができる。
【００３２】
（実施形態３）
実施形態３に係るＧＸ５３型蛍光ランプ対応ソケット９００は、上述の実施形態と異なり、図５に示されるように、雄型プラグ５１０のみならず雌型プラグ６１０も内蔵されている。
【００３３】
雌型プラグ６１０と雄型プラグ５１０とは、円盤形状のソケット本体９１０において、点対称の位置に形成されている。
【００３４】
図５及び図６に示されるように、雌型プラグ６１０は、一対の開口部６２１と、開口部６２１内部に形成された一対の雌型接触子６３０とを有する。一対の雌型接触子６３０は例えば金属で形成された中空孔である。
【００３５】
雌型接触子６３０と接続金具２８０とは、配線６４０を介して電気的に導通している。
【００３６】
雄型プラグ５１０のみならず雌型プラグ６１０も内蔵されているから、図７に示すように、複数のＧＸ５３型蛍光ランプ対応ソケット９００を連結できる。
【００３７】
即ち、ＧＸ５３型蛍光ランプ対応ソケット９００ｂの雌型プラグ６１０と、ＧＸ５３型蛍光ランプ対応ソケット９００ｃの雄型プラグ５１０とが、連結コード８１０にて電気的に接続されている。
【００３８】
また、ＧＸ５３型蛍光ランプ対応ソケット９００ａの雌型プラグ６１０と、ＧＸ５３型蛍光ランプ対応ソケット９００ｂの雄型プラグ５１０とが、連結コード８１０にて電気的に接続されている。
【００３９】
連結コード８１０は、コード部８３０と、コード部８３０の一方の端部に形成された雄型接続端子８２０と、他方の端部に形成された雌型接続端子８４０と、を有する。
【００４０】
ＧＸ５３型蛍光ランプ対応ソケット９００ａの雄型プラグ５１０と、図示されてない電源供給用のコンセントとが、電源コード７１０にて電気的に接続されている。
【００４１】
電源コード７１０は、コード部７３０と、コード部７３０の一方の端部に形成された雄型接続端子７２０と、他方の端部に形成された雌型接続端子７４０と、を有する。
【００４２】
上述のように、ＧＸ５３型蛍光ランプ対応ソケット９００の雄型プラグ５１０には、電源供給用の電源コード７１０を接続することもできるし、また、接続コード８１０も接続することもできる。
【００４３】
そして、複数のＧＸ５３型蛍光ランプ対応ソケット９００を連結できるから、複数の蛍光ランプ１１０を設置面２３０に設置でき、より明るく照明を行うことができる。
【００４４】
また、図５及び図７に示すように、雌型プラグ６１０と雄型プラグ５１０とは、円盤形状のソケット本体９１０において、点対称の位置に形成されているから、連結コード８１０を直線的に配線することができ、配線のスペースを有利に設定することができる。
【００４５】
（その他の実施形態）
上述の実施形態では、設置面２３０は天井面であった。もっとも、このような実施形態に限定されることはない。ＧＸ５３型蛍光ランプ対応ソケット９００は、壁面や床面等の設置面２３０にも設置できる。壁面や床面等に設置することにより、室内空間等を照らしながら、演色性を向上させることができる。
【００４６】
上述の実施形態では、ＧＸ５３型蛍光ランプ対応ソケット９００の雄型プラグ５１０に接続されたのは電源コード７１０若しくは連結コード８１０であった。もっともこのような実施形態に限定されず、その他のコードであっても接続することも可能である。
【図面の簡単な説明】
【００４７】
【図１】実施形態１に係るＧＸ５３型蛍光ランプ対応ソケットの概略を説明する図である。
【図２】実施形態２に係るＧＸ５３型蛍光ランプ対応ソケットの概略を説明する図であり、ネジで設置面に取りつける図である。
【図３】実施形態２に係るＧＸ５３型蛍光ランプ対応ソケットの平面図であり、設置面の反対側から説明する図である。
【図４】実施形態２に係るＧＸ５３型蛍光ランプ対応ソケットを側面方向から説明する図である。
【図５】実施形態３に係るＧＸ５３型蛍光ランプ対応ソケットの平面図であり、雌型プラグが内蔵されている様子を説明する図である。
【図６】実施形態３に係るＧＸ５３型蛍光ランプ対応ソケットを側面方向から説明する図である。
【図７】複数のＧＸ５３型蛍光ランプ対応ソケットを連接している状態を説明する図である。
【符号の説明】
【００４８】
１１０    蛍光ランプ
１２０    ランプ本体
１３０    発光部
１４０    凸部
１５０    凹部
１７０    係合孔部
１８０    電極部
１９０    ネジ
２３０    設置面
２８０    接続金具
３１０    ネジ孔
５１０    雄型プラグ
５２０    開口空洞部
５２１    開口部
５２２    空洞部
５３０    雄型接触子
５４０    配線
６１０    雌型プラグ
６２１    開口部
６３０    雌型接触子
６４０    配線
７１０    電源コード
７２０    雄型接続端子
７３０    コード部
７４０    雌型接続端子
８１０    連結コード
８２０    雄型接続端子
８３０    コード部
８４０    雌型接続端子
９００    ＧＸ５３型蛍光ランプ対応ソケット
９１０    ソケット本体
９２０    ソケット蓋体
【図１】
2009295316.tif 000003
【図２】
2009295316.tif 000004
【図３】
2009295316.tif 000005
【図４】
2009295316.tif 000006
【図５】
2009295316.tif 000007
【図６】
2009295316.tif 000008
【図７】
2009295316.tif 000009